【手続補正書】
【提出日】平成25年10月29日(2013.10.29)
【手続補正１】
【補正対象書類名】特許請求の範囲
【補正対象項目名】全文
【補正方法】変更
【補正の内容】
【特許請求の範囲】
【請求項１】
振幅変調（「ＡＭ」）ノイズを有する第１高周波信号を検出し、少なくとも第１検出ＡＭノイズ信号成分および復調信号成分を有する第１検出信号を生成するよう構成された第１ディテクタと、
ＡＭノイズを有する第２高周波信号を検出し、少なくとも第２検出ＡＭノイズ信号成分を有する第２検出信号を生成するよう構成された第２ディテクタと、
第１検出信号と第２検出信号とを合成することで第１検出ＡＭノイズ信号成分を第２検出ＡＭノイズ信号成分で相殺し、復調信号成分を含む出力信号を生成する代数的合成ネットワークと、を備える、ディテクタシステム。
【請求項２】
第１高周波信号はローカル高周波信号および受信高周波信号を含み、復調信号成分はローカル高周波信号と受信高周波信号との差分周波数であり、
１）第２高周波信号はローカル高周波信号であるか、または、
２）受信高周波信号は、ローカル高周波信号の反射信号である
請求項１に記載のディテクタシステム。
【請求項３】
第１高周波信号はローカル高周波信号および受信高周波信号を含み、復調信号成分はローカル高周波信号と受信高周波信号との差分周波数であり、
第２高周波信号はローカル高周波信号および受信高周波信号を含み、第２検出信号は差分周波数を有する第２復調信号成分をさらに含み、
代数的合成ネットワークの出力信号は復調信号成分に足し合わされた第２復調信号成分をさらに含む、請求項１に記載のディテクタシステム。
【請求項４】
代数的合成ネットワークは反転入力および非反転入力を有し、第１検出信号は非反転入力に提供され、第２検出信号は反転入力に提供される、請求項１に記載のディテクタシステム。
【請求項５】
ローカル高周波信号および受信高周波信号を受け、ローカル高周波信号および受信高周波信号を第１ディテクタに提供し、ローカル高周波信号および受信高周波信号の反転信号を第２ディテクタに提供するよう構成された高周波代数的合成ネットワークをさらに備え、
第２ディテクタは第２検出ＡＭノイズ信号成分および反転された復調信号成分を有する第２検出信号を生成し、
代数的合成ネットワークは反転入力および非反転入力を有し、第１検出信号が非反転入力に提供されると共に第２検出信号が反転入力に提供されることによって反転されたＡＭノイズ信号成分および第２復調信号成分が生成され、
出力信号は復調信号成分と第２復調信号成分との和であり、
反転されたＡＭノイズ信号成分はＡＭノイズ信号成分を相殺する、請求項１に記載のディテクタシステム。
【請求項６】
第１ディテクタは第１シングルダイオードディテクタを含み、第２ディテクタは第２シングルダイオードディテクタを含むか、または、
第１ディテクタは第１デュアルダイオードディテクタを含み、第２ディテクタは第２デュアルダイオードディテクタを含むか、または、
第１ディテクタは第１ダイオード電圧増倍器を含み、第２ディテクタは第２ダイオード電圧増倍器を含む、請求項１に記載のディテクタシステム。
【請求項７】
ローカル高周波信号および受信高周波信号を受け、ローカル高周波信号および受信高周波信号を第１ディテクタに提供し、ローカル高周波信号および受信高周波信号の反転信号を第２ディテクタに提供するよう構成された高周波代数的合成ネットワークをさらに備え、
第２ディテクタは第２検出ＡＭノイズ信号成分および反転された復調信号成分を有する第２検出信号を生成し、
高周波代数的合成ネットワークは、
高周波代数的合成ネットワークを通じた第１受信信号経路と、
高周波代数的合成ネットワークを通じた第２受信信号経路と、
高周波代数的合成ネットワークを通じた第１ＬＯ信号経路と、
高周波代数的合成ネットワークを通じた第２ＬＯ信号経路と、
第１受信信号経路の受信信号と第１ＬＯ信号経路のＬＯ信号とを合成し、第１合成信号を第１ディテクタに提供する第１高周波コンバイナと、
第２ＲＦ信号経路の受信信号と第２ＬＯ信号経路のＬＯ信号とを合成し、第２合成信号を第２ディテクタに提供する第２高周波コンバイナと、
を含み、
第１合成信号はＬＯ信号と受信信号とを足し合わせたものであり、第２合成信号はＬＯ信号から受信信号を引いたものである、請求項１に記載のディテクタシステム。
【請求項８】
第１ディテクタと代数的合成ネットワークとの間に設けられた第２代数的合成ネットワークをさらに備え、
第２代数的合成ネットワークは、
代数的合成ネットワークの第１非反転入力と接続された第１正出力と、
代数的合成ネットワークの第１反転入力と接続された第１負出力と、を有し、
第２検出信号は第２復調信号成分をさらに含み、
本ディテクタシステムは、第２ディテクタと代数的合成ネットワークとの間に設けられた第３代数的合成ネットワークをさらに備え、
第３代数的合成ネットワークは、
代数的合成ネットワークの第２反転入力と接続された第２正出力と、
代数的合成ネットワークの第２非反転入力と接続された第２負出力と、を有し、
代数的合成ネットワークと第２代数的合成ネットワークおよび第３代数的合成ネットワークのうちのひとつとの間に設けられた調整可能利得ステージをさらに備え、
第２検出ＡＭノイズ信号成分は第１検出ＡＭノイズ信号と利得係数との積と等しく、調整可能利得ステージは第２検出ＡＭノイズ信号成分を利得係数で除す、請求項１に記載のディテクタシステム。
【請求項９】
アンテナと、
高周波信号を生成する発振器と、
請求項１に記載のディテクタシステムと、
高周波信号をアンテナと結合させ、高周波信号および反射高周波信号を第１ディテクタおよび第２ディテクタと結合させるよう構成された合成ネットワークと、を備え、
前記代数的合成ネットワークは、第１検出高周波信号および第１検出反射信号を有する第１ディテクタ回路からの第１検出信号と、第２検出高周波信号および第２検出反射信号を有する第２ディテクタ回路からの第２検出信号と、を加算し、検出出力信号を生成するように構成され、第１検出反射信号は第２検出反射信号と足し合わされ、第１検出高周波信号は第２検出高周波信号から減算され、
検出出力信号をアンテナとターゲットとの間の速さに変換するよう構成されたコントローラをさらに備える、フィールド擾乱検知システム。
【請求項１０】
速さをユーザに見せるよう構成された電子ディスプレイスクリーンと、
本フィールド擾乱検知システムおよび電子ディスプレイスクリーンを収容して手持ちフィールド擾乱システムを提供するハウジングと、をさらに備え、
手持ちフィールド擾乱検知システムは手持ち連続波レーダーシステムである、請求項９に記載のフィールド擾乱検知システム。
【請求項１１】
発振器は安定誘電体共振器である、請求項９に記載のフィールド擾乱検知システム。
【請求項１２】
アンテナはプリント基板の第１側に定義されたパッチアンテナであり、発振器はプリント基板の第２側に定義され、
プリント基板は、第１側および第２側に金属ホイルのトレースを有するポリテトラフルオロエチレンベースの基板を有するか、または、
プリント基板は、第１側および第２側に金属のトレースを有するエポキシ−グラスファイバー合成基板を有する、請求項９に記載のフィールド擾乱検知システム。
【請求項１３】
アンテナはプリント基板の第１側に定義されたパッチアンテナであり、発振器はプリント基板の第２側に定義され、
第１ディテクタ回路および第２ディテクタ回路はプリント基板の第１側に定義され、
合成ネットワークはプリント基板の第１側に定義された第１リングカプラと第２リングカプラとを含み、
第１リングカプラは、
発振器と接続されたＬＯ入力ポートと、
アンテナと接続されたアンテナポートと、
第２リングカプラのＲＦ入力ポートと接続されたＲＦポートと、
第２リングカプラの第２ＬＯ入力ポートと接続されたＬＯポートと、を有し、
ＬＯ入力ポートは、ＬＯポートからは第１リングカプラの周りで第１の向きに四分の一波長距離だけ離れており、アンテナポートからは第１リングカプラの周りで第２の向きに第２四分の一波長距離だけ離れており、ＲＦポートからは第１リングカプラの周りで半波長距離だけ離れており、
ＲＦ入力ポートは、第２ＬＯ入力ポートからは第２リングカプラの周りで第３の向きに第１距離だけかつ第２リングカプラの周りで第４の向きに第２距離だけ離れており、第１距離と第２距離との差は半波長距離の整数倍であり、
第２リングカプラはさらに、
第２ＬＯ入力ポートから第３の向きに第３距離だけ離れている第１ディテクタポートと、
第２ＬＯ入力ポートから第４の向きに第３距離だけ離れている第２ディテクタポートと、を含み、
第３距離は四分の一波長距離の奇数倍である、請求項９に記載のフィールド擾乱検知システム。
【請求項１４】
合成ネットワークと結合された第２アンテナをさらに備え、
アンテナは高周波信号をターゲットに向けて伝送し、第２アンテナはターゲットから反射高周波信号を受信し、
第２アンテナと合成ネットワークとの間に設けられた増幅器をさらに備える、請求項９に記載のフィールド擾乱検知システム。
【請求項１５】
アンテナは高周波信号をターゲットに向けて伝送し、かつ、アンテナはターゲットから反射高周波信号を受信する、請求項９に記載のフィールド擾乱検知システム。
【請求項１６】
前記ターゲットは、高周波信号上にＡＭノイズを選択的に生成するよう構成された振幅変調（「ＡＭ」）ノイズ源であり、
高周波信号上に選択されたＡＭノイズが生成される場合、検出出力信号上のＡＭノイズの最小化を達成するよう構成されたノイズ較正回路をさらに備える、請求項９に記載のフィールド擾乱検知システム。
【請求項１７】
第１高周波信号を第１ディテクタおよび第２ディテクタと結合させることと、
アンテナにおいて受信信号を受信することと、
受信信号を少なくとも第１ディテクタに提供することと、
高周波信号および受信信号を検出し、第１検出高周波信号および復調信号を含む第１検出信号を生成することと、
並行して、高周波信号を検出し、第２検出高周波信号を生成することと、
第１検出信号から第２検出信号を減算し、検出信号出力の振幅変調ノイズを相殺することと、を含み、
検出信号出力は復調信号を含む、ダウンコンバーティング方法。
【請求項１８】
第１高周波信号を第１ディテクタおよび第２ディテクタと結合させることは、並行して、第１高周波信号をアンテナと結合させることをさらに含み、
受信信号はターゲットからの第１高周波信号の反射信号であり、
復調信号成分にしたがってアンテナとターゲットとの間の速さを計算することをさらに含む、請求項１７に記載の方法。
【請求項１９】
受信信号を第１ディテクタに提供することは、受信信号を第２ディテクタに提供することをさらに含み、
並行して、高周波信号を検出し、第２検出信号を生成することとは、並行して、第２ディテクタに提供された受信信号を第２復調信号に変換することをさらに含み、
第２検出信号は、第２検出高周波信号および第２復調信号を含み、
本方法はさらに、第２復調信号を復調信号と足し合わせることを含み、
受信信号は第１ディテクタに第１位相で提供され、かつ、第２ディテクタに第２位相で提供され、
第２位相は第１位相から１８０度シフトしており、
高周波信号は第１ディテクタにある位相で提供され、かつ、第２ディテクタにその位相で提供される、請求項１７に記載の方法。
【請求項２０】
受信信号を第１ディテクタに提供することは、受信信号を第２ディテクタに提供することをさらに含み、
並行して、高周波信号を検出し、第２検出信号を生成することとは、並行して、第２ディテクタに提供された受信信号を第２復調信号に変換することをさらに含み、
第２検出信号は、第２検出高周波信号および第２復調信号を含み、
本方法はさらに、第２復調信号を復調信号と足し合わせることを含み、
第１検出高周波信号から第２検出高周波信号を減算することおよび第２復調信号を復調信号と足し合わせることは、第１検出信号と第２検出信号との差動信号を増幅し、検出信号出力における高周波信号の振幅変調（「ＡＭ」）ノイズを相殺することを含む、請求項１７に記載の方法。
【請求項２１】
受信信号を第１ディテクタに提供することは、受信信号を第２ディテクタに提供することをさらに含み、
並行して、高周波信号を検出し、第２検出信号を生成することとは、並行して、第２ディテクタに提供された受信信号を第２復調信号に変換することをさらに含み、
第２検出信号は、第２検出高周波信号および第２復調信号を含み、
本方法はさらに、第２復調信号を復調信号と足し合わせることを含み、
第１ディテクタおよび第２ディテクタは差動ディテクタを形成し、第１検出信号および第２検出信号は差動増幅器と結合される、請求項１７に記載の方法。
【請求項２２】
高周波信号はアンテナから伝送され、受信信号はアンテナによって受信される反射信号であり、
高周波信号は、高周波源から伝送構成を通じてアンテナと結合され、
伝送構成は、高周波信号出力ポートと反射信号出力ポートとを有し、
反射信号出力ポートは、反射信号出力ポートにおいて高周波信号を相殺するよう、高周波信号ポートから選択された伝送距離だけ離れている、請求項１７に記載の方法。
【請求項２３】
受信信号を第１ディテクタに提供することは、受信信号を第２ディテクタに提供することをさらに含み、
並行して、高周波信号を検出し、第２検出信号を生成することとは、並行して、第２ディテクタに提供された受信信号を第２復調信号に変換することをさらに含み、
第２検出信号は、第２検出高周波信号および第２復調信号を含み、
本方法はさらに、
第２復調信号を復調信号と足し合わせ、
第２検出信号経路の利得設定を調整し、検出信号出力における振幅変調（「ＡＭ」）ノイズを低減し、
高周波信号をアンテナからターゲットへ伝送する前に、
アンテナをシールドし、
最小ＡＭノイズに対応する利得設定を決定し、
その利得設定を保存し、
第２検出信号経路にその利得設定を適用する
ことをさらに含む、請求項１７に記載の方法。
【請求項２４】
受信信号を第１ディテクタに提供することは、受信信号を第２ディテクタに提供することをさらに含み、
並行して、高周波信号を検出し、第２検出信号を生成することとは、並行して、第２ディテクタに提供された受信信号を第２復調信号に変換することをさらに含み、
第２検出信号は、第２検出高周波信号および第２復調信号を含み、
本方法はさらに、
第２復調信号を復調信号と足し合わせ、
高周波信号を振幅変調し、
最小検出ＡＭ信号に対応する利得設定を決定し、
その利得設定を保存し、
第２検出信号経路にその利得設定を適用し、検出信号出力における振幅変調（「ＡＭ」）ノイズを低減する
ことをさらに含む、請求項１７に記載の方法。
【請求項２５】
受信信号を第２ディテクタに提供し、
第２復調信号を復調信号と足し合わせることをさらに含み、
第１ディテクタおよび第２ディテクタは差動ディテクタを形成し、第１検出信号および第２検出信号は差動増幅器と結合される、請求項１７に記載のダウンコンバーティング方法。
【請求項２６】
第２復調信号を復調信号と足し合わせることをさらに含み、
第１ディテクタおよび第２ディテクタは差動ディテクタを形成し、第１検出信号および第２検出信号は差動増幅器と結合される、請求項１７に記載のダウンコンバーティング方法。
【請求項２７】
高周波信号を振幅変調することと、
最小検出ＡＭ信号に対応する利得設定を決定することと、
その利得設定を保存することと、
第２検出信号経路にその利得設定を適用し、検出信号出力における振幅変調（「ＡＭ」）ノイズを低減することと、をさらに含む、請求項１７に記載のダウンコンバーティング方法。